(57)【要約】      （修正有）【課題】傘の部品を一体成型させて、任意に分解することや組み合わせることができ、より、部品を交換する便利性が改良されて、耐用寿命が向上される傘の骨構造を提供する。【解決手段】中棒１と、上ろくろ２、下ろくろ３及び複数の傘の骨４からなり、傘の各部品とも、分解することや組立てることができることにより、任意に、部品を交換でき、傘の耐用寿命が向上され、また、上ろくろ２と下ろくろ３及び傘の骨４とが、一体成型であり、リブ２３，３３，４５を利用して折り畳むことを実現して、組立て便利性やコストダウンが向上される。【選択図】図１
0003194040.tif 000002
【実用新案登録請求の範囲】
【請求項１】
上嵌設座と下嵌設座が嵌設される中棒と、
リング状体である上貫設ベースと、周りに、放射状に、上記上貫設ベースとの間にリブが設けられた複数の上貫設管とが、一体成型され、上記上貫設ベースが上記上嵌設座に嵌設される上ろくろと、
リング状体である下貫設ベースと、周りに、放射状に、、上記下貫設ベースとの間にリブが設けられた複数の上貫設管とが、一体成型され、上記下貫設ベースが上記下嵌設座に嵌設される下ろくろと、
第一上受け骨と第二上受け骨、第三上受け骨及び下受け骨からなり、上記第一上受け骨に、第二上受け骨が連結され、上記第二上受け骨に、第三上受け骨が連結され、上記下受け骨が、上記第一上受け骨の中段に連結され、受け骨同士の間において、リブによって連結されて、一体成型になり、上記第一上受け骨の一端が、上記上貫設管内に嵌設され、上記下受け骨の一端が、下貫設管内に嵌設される、複数の傘の骨と、
を含むことを特徴とする傘の骨構造。
【請求項２】
上記第一上受け骨の一端に、二つの突出と一つの案内条があって、上記上ろくろの上貫設管に対応して、楕円柱が形成され、側壁に、三つの嵌合槽が設けられることを特徴とする請求項１に記載の傘の骨構造。
【請求項３】
上記下受け骨の一端に、二つの突出と一つの案内条があって、上記下ろくろの下貫設管に対応して、楕円柱が形成され、側壁に、三つの嵌合槽が設けられることを特徴とする請求項１に記載の傘の骨構造。
【考案の詳細な説明】
【技術分野】
【０００１】
本考案は、傘の骨構造に関し、特に、傘の上ろくろと下ろくろ及び傘の骨とが、一体成型され、リブを利用して折り畳んで、閉傘の作動が行われ、組立ての便利性やコストダウンの効果が得られるものに関する。
【背景技術】
【０００２】
市販の傘の構造は、殆ど、傘の上、下ろくろと受け骨との枢着が、紐によって、固定され、また、その部材が、それぞれ、ジョイント部材は、金型によって、プレスされてから、組み合わせられるため、組立てに、時間が掛かるし、組立てしにくくなる。
【０００３】
また、市場に、中棒とろくろとが嵌設されて、簡単に組立てられる傘の骨の連結構造が登場し、嵌合することだけで、組立てられるため、快速的に上ろくろや下ろくろ及び上記らの傘の骨とが、定位されて、組立ての便利性が向上される。
【０００４】
上記の従来の傘の構造は、傘が故障した場合、簡単に部材を交換できる機能を有するが、その損害交換性が適用できる範囲が、小さくて、傘の上ろくろや下ろくろ及び傘の骨等の部材に対して、適用できなく、実用的とはいえない。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案の主な目的は、傘の部品を一体成型させて、任意に分解することや組み合わせることができ、より、部品を交換する便利性が改良されて、耐用寿命が向上される傘の骨構造を提供する。
【０００７】
本考案の他の目的は、上、下ろくろと傘の骨との間において、簡単的に嵌合できることにより、組立て便利性が向上される傘の骨構造を提供する。
【課題を解決するための手段】
【０００８】
本考案は、上記の目的を達成するための具体的な技術手段や考案は、下記の通りであって、部品を交換でき、耐用寿命が向上される目的を実現するために、本考案は、中棒と上ろくろ、下ろくろ及び複数の傘の骨からなり、上記中棒に、上、下ろくろが組立てられ、上記上、下ろくろに、傘の骨が連結され、上記上ろくろと下ろくろ及び傘の骨は、ともに、一体成型され、上記各部品の曲がる箇所に、リブが設けられる。
【０００９】
組立て便利性を実現するため、本考案に係る傘の骨構造は、上記傘の骨の上受け骨と下受け骨が、中空管であり、その一端に、二つの突出と案内条が設けられ、上ろくろの上貫設管と下ろくろの下貫設管に対応して、それぞれ、楕円柱が形成され、側壁に、三つの嵌合槽が設けられる。
【００１０】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１１】
図１のように、本考案は、
上嵌設座１１と下嵌設座１２が嵌設される中棒１と、
リング状体である上貫設ベース２１と、周りに、放射状に、上貫設ベース２１との間にリブ２３が設けられた複数の上貫設管２２とが、一体成型され、上貫設ベース２１が上嵌設座１１に嵌設される上ろくろ２と、
リング状体である下貫設ベース３１と、周りに、放射状に、下貫設ベース３１との間にリブ３３が設けられた複数の上貫設管３２とが、一体成型され、下貫設ベース３１が下嵌設座１２に嵌設される下ろくろ３と、
第一上受け骨４１と第二上受け骨４２、第三上受け骨４３及び下受け骨４４からなり、上記第一上受け骨４１に、第二上受け骨４２が連結され、上記第二上受け骨４２に、第三上受け骨４３が連結され、上記下受け骨４４が、第一上受け骨４１の中段に連結され（図２と３のように）、各受け骨同士の間において、リブ４５によって連結され（図４乃至７のように）、一体成型になり、上記第一上受け骨４１の一端が、上貫設管２２内に嵌設され、上記下受け骨４４の一端が、下貫設管３２内に嵌設される複数の傘の骨４と、
が含有される。
【００１２】
上記第一上受け骨４１の一端に、二つの突出４１１と一つの案内条４１２があって、上ろくろ２の上貫設管２２に対応して、楕円柱２２１が形成され、側壁に、三つの嵌合槽２２２が設けられる（図８のように）。
【００１３】
上記下受け骨４４の一端に、二つの突出４４１と一つの案内条４４２があって、下ろくろ３の下貫設管３２に対応して、楕円柱３２１が形成され、側壁に、三つの嵌合槽３２２が設けられる（図９のように）。
【００１４】
第一上受け骨４１を、上貫設管２２内に嵌設して、楕円柱２２１が、上受け骨４１内に貫設させ、突出４１１が、外へ開いて、上貫設管２２に対応して二つの嵌合槽２２２内に嵌設され、その時、案内条４１２が、もう一つの嵌合槽２２２内に嵌設され、上記下受け骨４４が、下貫設管３２内に嵌設されることにより、楕円柱３２１が、下受け骨４４内に貫設されて、突出４４１が、外へ開かれて、下貫設管３２に対応して二つの嵌合槽３２２内に嵌設され、また、案内条４１２が、もう一つの嵌合槽３２２内に嵌設され、これにより、組立てが終了される。
【００１５】
図１０のように、本考案によれば、下嵌設座１２を、中棒１において、摺動させると、下貫設ベース３１のリブ３３により、下貫設管３２が連動され、同時に、下ろくろ２によって、下受け骨４４が連動されて、第一上受け骨４１が駆動され、上記第一上受け骨４１により、同時に、リブ４５で、各上受け骨が連動され、また、もう一端の上貫設管２２が駆動されて、傘の骨４が、開傘と閉傘が行われる。
【００１６】
上記上ろくろ２と下ろくろ３及び傘の骨４は、リブ２３、３３、４５によって連結されて一体成型になり、これにより、コストダウンの利点が得られ、また、部品を簡素化でき、組立て時間が大幅に節約され、任意に組立てることや外すことができ、また、損害した部品を交換でき、そのため、耐用寿命が向上される。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１９】
【図１】本考案の一部構造の外観立体分解図
【図２】本考案の傘の骨の一部構造の外観立体図（一）
【図３】本考案の傘の骨の一部構造の側面断面図（一）
【図４】本考案の傘の骨の一部構造の外観立体図（二）
【図５】本考案の傘の骨の一部構造の側面断面図（二）
【図６】本考案の傘の骨の一部構造の外観立体図（三）
【図７】本考案の傘の骨の一部構造の側面断面図（三）
【図８】本考案の上ろくろと上受け骨とを組立てる状態の断面図
【図９】本考案の下ろくろと下受け骨とを組立てる状態の断面図
【図１０】本考案の傘の骨を折り畳んだ時の側面断面図
【符号の説明】
【００２０】
１  中棒
１１  上嵌設座
１２  下嵌設座
２  上ろくろ
２１  上貫設ベース
２２  上貫設管
２２１  楕円柱
２２２  嵌合槽
２３  リブ
３  下ろくろ
３１  下貫設ベース
３２  下貫設管
３２１  楕円柱
３２２  嵌合槽
３３  リブ
４  傘の骨
４１  第一上受け骨
４１１  突出
４１２  案内条
４２  第二上受け骨
４３  第三上受け骨
４４  下受け骨
４５  リブ
４４１  突出
４４２  案内条
【図１】
0003194040.tif 000003
【図２】
0003194040.tif 000004
【図３】
0003194040.tif 000005
【図４】
0003194040.tif 000006
【図５】
0003194040.tif 000007
【図６】
0003194040.tif 000008
【図７】
0003194040.tif 000009
【図８】
0003194040.tif 000010
【図９】
0003194040.tif 000011
【図１０】
0003194040.tif 000012